(57)【要約】【課題】良好な作業性を得る。【解決手段】雌ハウジング３０には、前後に移動可能な略角筒状のスライダ４１が取り囲むようにして組み付けられ、スライダ４１と雌ハウジング３０との間には圧縮コイルばね４６が圧縮可能に配される。雄ハウジング１０には、雌ハウジング３０をスライダ４１ごと内嵌可能なフード部１１と、雌ハウジング３０のロック部３７に係止可能なロックアーム２０とが設けられている。ロックアーム２０は、弾性変位するとスライダ４１に対して干渉可能とされ、復元するとスライダ４１と非干渉となる。雌ハウジング３０には、嵌合時に押し込み操作が可能な押し込み操作部５１が一対対称位置に設けられている。スライダ４１には、押し込み操作部５１を逃がすための逃がし溝５２が一対設けられている。【選択図】  図９
2004200073.tif 000002
【特許請求の範囲】
【請求項１】
互いに嵌合可能な一対のコネクタハウジングには、両コネクタハウジングを正規嵌合状態にロック可能なロック手段が備えられ、
一方のコネクタハウジングには、両コネクタハウジングの嵌合・離脱方向に沿って前後に移動可能とされるとともに一方のコネクタハウジングを取り囲む略筒状に形成されたスライダと、このスライダと一方のコネクタハウジングとの間に配されるとともにスライダが後退するのに伴って両コネクタハウジングを離脱させるような付勢力を蓄積しつつ圧縮可能とされる付勢部材とが組み付けられるのに対し、
他方のコネクタハウジングには、前記一方のコネクタハウジングをスライダごと内嵌可能なフード部と、両コネクタハウジングを嵌合・離脱する途中では弾性変位することでスライダに干渉可能とされるのに対し、両コネクタハウジングが正規嵌合すると、復元してスライダとは非干渉となる弾性変位部とが設けられており、
前記一方のコネクタハウジングには、嵌合時に押し込み操作が可能な押し込み操作部が対称位置に一対設けられている一方、前記スライダには、前記押し込み操作部を逃がすための逃がし溝が一対設けられていることを特徴とするコネクタ。
【請求項２】
前記スライダは、略角筒状に形成されるとともに、前記両コネクタハウジングが正規嵌合した状態で前記フード部から後方へ突出するよう形成されており、このスライダのうち前記両逃がし溝を形成した辺部と隣り合う辺部には、離脱時に引っ張り操作が可能な引っ張り操作部が対称位置に一対設けられていることを特徴とする請求項１記載のコネクタ。
【発明の詳細な説明】
【０００１】
【発明の属する技術分野】
本発明は、半嵌合防止機能を備えたコネクタに関する。
【０００２】
【従来の技術】
従来、半嵌合防止機能を備えたコネクタの一例として下記特許文献１に記載されたものが知られている。このものでは、互いに嵌合可能な雄雌のハウジングのうち、雌ハウジングには、略筒状のスライダが取り囲むようにして組み付けられるとともに、雌ハウジングとスライダとの間にばね部材が介設されている。両ハウジングを嵌合すると、雄ハウジングのフード部の外側にスライダが嵌合されるとともにフード部に形成されたロックアームが外側に弾性変形し、そのロックアームによりスライダが後方へ押し込まれることで、スライダがばね部材を圧縮しつつ後退する。従って、嵌合作業を中断すると、ばね部材の付勢力が開放されて両ハウジングが強制的に離脱させられることで半嵌合が防止されるようになっている。嵌合作業を中断せずに両ハウジングを正規嵌合させると、ロックアームが復元してロック部に係止すると同時に、スライダに対する押し込みが解除されるので、スライダがばね部材の付勢力により前進する。
【０００３】
一方、両ハウジングを離脱するときは、スライダを後方へ引っ張るようにする。スライダがロックアームの撓み空間から後方へ退避するのに伴って、ロックアームがそのテーパ面に案内されてロック部との係止状態を解除するよう弾性変形するので、そのままスライダを後方へ引っ張ることで両ハウジングを離脱させることができる。
ところで、上記したコネクタは、スライダがフード部の外側に嵌合されるタイプであったが、例えばスライダがフード部の内側に嵌合されるタイプのコネクタについて上記コネクタと同様の機能を持たせようとした場合、離脱時にスライダを引っ張り操作することを考慮すると、嵌合状態においてスライダがフード部から後方へ突出するよう設定する必要が生じる。
【０００４】
【特許文献１】
実開平５−８１９６７号公報
【０００５】
【発明が解決しようとする課題】
ところが、スライダを上記したような長さに設定すると、今度は嵌合過程において新たな問題が生じることになる。すなわち、嵌合作業は、雌ハウジングの後端面を押し込むことで行うのであるが、この嵌合過程ではスライダは、雌ハウジングに対して後方へ相対変位して雌ハウジングよりも後方へ突き出ることになるため、突き出たスライダが邪魔になって雌ハウジングの押し込み操作がし難くなってしまう。
本発明は上記のような事情に基づいて完成されたものであって、良好な作業性を得ることを目的とする。
【０００６】
【課題を解決するための手段】
上記の目的を達成するための手段として、請求項１の発明は、互いに嵌合可能な一対のコネクタハウジングには、両コネクタハウジングを正規嵌合状態にロック可能なロック手段が備えられ、一方のコネクタハウジングには、両コネクタハウジングの嵌合・離脱方向に沿って前後に移動可能とされるとともに一方のコネクタハウジングを取り囲む略筒状に形成されたスライダと、このスライダと一方のコネクタハウジングとの間に配されるとともにスライダが後退するのに伴って両コネクタハウジングを離脱させるような付勢力を蓄積しつつ圧縮可能とされる付勢部材とが組み付けられるのに対し、他方のコネクタハウジングには、前記一方のコネクタハウジングをスライダごと内嵌可能なフード部と、両コネクタハウジングを嵌合・離脱する途中では弾性変位することでスライダに干渉可能とされるのに対し、両コネクタハウジングが正規嵌合すると、復元してスライダとは非干渉となる弾性変位部とが設けられており、前記一方のコネクタハウジングには、嵌合時に押し込み操作が可能な押し込み操作部が対称位置に一対設けられている一方、前記スライダには、前記押し込み操作部を逃がすための逃がし溝が一対設けられている構成としたところに特徴を有する。
【０００７】
請求項２の発明は、請求項１に記載のものにおいて、前記スライダは、略角筒状に形成されるとともに、前記両コネクタハウジングが正規嵌合した状態で前記フード部から後方へ突出するよう形成されており、このスライダのうち前記両逃がし溝を形成した辺部と隣り合う辺部には、離脱時に引っ張り操作が可能な引っ張り操作部が対称位置に一対設けられているところに特徴を有する。
【０００８】
【発明の作用及び効果】
＜請求項１の発明＞
両コネクタハウジングを嵌合すると、他方のコネクタハウジングのフード部内にスライダごと一方のコネクタハウジングが進入する。嵌合過程では、スライダが干渉する弾性変位部によって後退させられるとともに、付勢部材が付勢力を蓄積しつつ圧縮させられる。従って、嵌合途中で作業を中断すると、付勢部材の付勢力が開放されるので、両コネクタハウジングが強制的に離脱させられ、もって半嵌合が防止される。両コネクタハウジングを正規に嵌合すると、ロック手段により両コネクタハウジングが保持されるとともに、弾性変位部が復元するのに伴ってスライダと非干渉になるので、付勢部材の付勢力が開放されてスライダが前進させられる。
【０００９】
ところで、上記嵌合作業は、一方のコネクタハウジングの両押し込み操作部を押し込んで行う。この嵌合過程では、スライダは、一方のコネクタハウジングに対して後退することになるものの、両押し込み操作部は、両逃がし溝によって逃がされることになる。従って、後退するスライダが作業者の邪魔にならず、嵌合時の作業性を良好なものとすることができる。その上、両押し込み操作部は、対称位置に配置されているので、押し込み操作を安定して行うことができ、嵌合時の作業性を一層良好なものとすることができる。
【００１０】
＜請求項２の発明＞
両コネクタハウジングを離脱する際に、スライダを後退させて付勢部材を圧縮させつつロック手段を解除して行うことにより、離脱時の半嵌合を防止することができる。スライダを後退させるには、対称位置に配置された両引っ張り操作部を引っ張り操作して行うことができるから、離脱時の作業性についても良好なものとすることができる。
【００１１】
【発明の実施の形態】
本発明の一実施形態を図１ないし図１３によって説明する。この実施形態に示すコネクタは、図７に示すように、互いに嵌合可能な雄コネクタハウジング１０（以下、単に雄ハウジング１０という）と、雌コネクタハウジング２０（以下、単に雌ハウジング３０という）とを備え、このうち雄ハウジング１０側にフード部１１とロックアーム２０とが設けられる一方、雌ハウジング３０側に一対の圧縮コイルばね４６とスライダ４１とが組み付けられている。なお、以下では両ハウジング１０，３０における嵌合面側を前方として説明する。
【００１２】
雄ハウジング１０は、図１及び図７に示すように、合成樹脂製とされ、大まかには前方へ開口する略角筒状のフード部１１と、雄端子金具１４を収容可能な端子収容部１２とを前後に繋げた構成とされる。端子収容部１２には、後方から電線１３の端末に圧着接続された雄端子金具１４を挿入可能なキャビティ１５が幅方向に３室並んで配設されている。各キャビティ１５の上面には、雄端子金具１４から切り起し形成されたランス１４ａが弾性的に係止可能な係止溝１５ａが前方へ開口して設けられている。
【００１３】
端子収容部１２のうち各キャビティ１５の下側には、前方からショート端子１７を収容可能なショート端子収容室１６が前方へ開口して設けられる。ショート端子１７は、平板状の本体部１７ａと、本体部１７ａの後端から突設された２本の弾性接触片１７ｂとから構成とされ、各弾性接触片１７ｂの先端がフード部１１内に突出するとともに、図１の中央と左側のキャビティ１５内に収容される２本の雄端子金具１４のタブ１４ｂに対して弾接することで、両雄端子金具１４間を短絡可能とされる。ショート端子収容室１６内には、本体部１７ａに開設された係止孔１７ｃに弾性的に係止可能な保持片１６ａが２本設けられている。
【００１４】
また端子収容部１２の後部の側面には、各キャビティ１５内に挿入した雄端子金具１４を二次係止するためのリテーナ１９を装着可能なリテーナ取付孔１８が各キャビティ１５を横切って開設されている。このリテーナ１９は、各雄端子金具１４を抜け止めするための抜け止め部１９ａを備えており、雄ハウジング１０に対して図示しない保持手段によって、各抜け止め部１９ａがキャビティ１５の側方に退避していて各雄端子金具１４のキャビティ１５への挿抜を許容する仮係止位置と、各抜け止め部１９ａがキャビティ１５内に進出して各雄端子金具１４のあご部１４ｃに係止する本係止位置とに選択的に保持可能とされ、且つ両位置間を幅方向に沿って移動可能とされている。
【００１５】
フード部１１は、雌ハウジング３０をスライダ４１ごと内嵌できるような開口範囲を有している。フード部１１の奥面（雌ハウジング３０に対する嵌合面）の幅方向略中央位置であって、各キャビティ１５の上方位置には、片持ち状をなすロックアーム２０が突設されている。ロックアーム２０は、上記奥面からの突出基端部を支点として上下方向に沿って弾性変位可能とされ、フード部１１の天井面との間に確保された変位許容空間２１内に退避可能とされる。ロックアーム２０の先端部には、下方へ突出する鉤部２２が設けられており、この鉤部２２が雌ハウジング３０側のロック部３７に対して係止可能とされている。鉤部２２のうちロック部３７に対する係止面である後面２２ａは、後方へ向かって上り勾配をなす略弧状に形成されている。また、フード部１１の両内側面には、スライダ４１の案内リブ４９が嵌合可能な案内凹部２３が一対対向状に形成されている。なお、雄ハウジング１０の下面側には、雄ハウジング１０を図示しないブラケットなどに取り付けるための取付部２４が突設されている。
【００１６】
雌ハウジング３０は、合成樹脂製とされ、図２ないし図７に示すように、横長な略ブロック状に形成されるとともに、内部には、電線３２の端末に圧着接続された雌端子金具３３を後方から挿入可能なキャビティ３１が幅方向に３室並んで配設されている。キャビティ３１の上面には、雌端子金具３３から切り起こし形成されたランス３３ａが弾性的に係止可能な係止溝３１ａが前方へ開口して設けられている。雌端子金具３３は、雄端子金具１４のタブ１４ｂに対して弾接可能な弾性接触片３３ｂを内部に備えている。雌ハウジング３０の前端部下面における各キャビティ３１の真下位置には、ショート端子１７の各弾性接触片１７ｂに係合可能な係合凹部３４が３つ設けられており、弾性接触片１７ｂに対する係合面は、弾性接触片１７ｂが円滑に下方へ撓むよう図７の右下がり状のテーパ面として形成されている。また雌ハウジング３０の側面には、リテーナ３６を装着可能なリテーナ取付孔３５が各キャビティ３１を横切って開設されている。リテーナ３６は、雌端子金具３３のあご部３３ｃに係止可能な抜け止め部３６ａを有しており、既述した雄ハウジング１０側のリテーナ１９と同様に仮係止位置と本係止位置とに雌ハウジング３０に対して保持可能とされる。
【００１７】
雌ハウジング３０の上面における幅方向略中央前端部には、ロックアーム２０が係止可能なロック部３７が突設されている。ロック部３７は、高さ寸法が鉤部２２とほぼ同じに設定されており、その前面３７ａは、後方へ向かって上り勾配をなすテーパ状に形成されることで、ロックアーム２０の乗り上げ動作を案内可能とされる。一方、ロック部３７のうちロックアーム２０に対する係止面である後面３７ｂは、後方へ向かって下り勾配をなし且つ鉤部２２の後面２２ａに沿うような略弧状に形成されている。これにより、鉤部２２が係止した状態から両ハウジング１０，３０を離脱させるような所定以上の力が作用したときに、ロックアーム２０が自動的に弾性変位してロック状態が解除可能とされる。つまり、このコネクタのロック手段は、いわゆるセミロック構造となっている。
【００１８】
雌ハウジング３０の上面後端部には、雌ハウジング３０と同幅の後壁３８が上方へ突出して設けられている。この後壁３８のうち、幅方向両側部には、圧縮コイルばね４６の後端部を支持可能なばね受け部３９が一対凹んだ形態で設けられている。また雌ハウジング３０の後端部の両外側面には、後述するスライダ４１を前止まりするための前止まり突部４０が一対突設されている。
【００１９】
上記のような構造の雌ハウジング３０の外周側には、前方からスライダ４１が組付可能とされている。このスライダ４１は、合成樹脂製とされ、全体が概ね四角形の角筒状をなし、図２に示す上下左右４つの辺部４１ａ〜４１ｄから構成されている。スライダ４１は、その長さ寸法が雌ハウジング３０とほぼ同じに設定されるとともに、雌ハウジング３０を全周にわたって取り囲むことが可能とされている。なお、スライダ４１及び雌ハウジング３０の長さ寸法は、フード部１１よりも所定長さ分（後述する押し込み操作部５１の前後長さ分）大きく設定されているので、両ハウジング１０，３０を正規嵌合した状態では雌ハウジング３０及びスライダ４１の後端部がフード部１１から後方へ突出するようになっている（図１０及び図１１）。このスライダ４１は、組付状態において両ハウジング１０，３０の嵌合・離脱方向に沿って前後に移動可能とされ、移動過程ではその内周面がほぼ全域にわたって雌ハウジング３０の外周面に摺接可能とされる。
【００２０】
スライダ４１の上辺部４１ａのうち幅方向両側部には、ばね受け部３９との間で圧縮コイルばね４６を挟持するとともに圧縮コイルばね４６の前端部を支持可能なばね押さえ部４２が一対突出して設けられている。両ばね押さえ部４２は、組付状態においてロック部３７を側方から挟み込むとともに、その下面が雌ハウジング３０の上面に対して摺接可能となるような幅寸法・高さ寸法を有している。また上辺部４１ａ及び両ばね押さえ部４２の前面には、成形時のひけを防ぐための肉抜き部４３が一対形成されている。
【００２１】
組み付け状態において、スライダ４１の上辺部４１ａのうち両ばね押さえ部４２に挟まれた幅方向略中央部とロック部３７との間には、所定高さ（鉤部２２を除いたロックアーム２０の高さ寸法に相当）の空間が空けられており、ここに自然状態とされたロックアーム２０が進入可能とされている。この上辺部４１ａの幅方向略中央部は、両ハウジング１０，３０が正規嵌合したときにロックアーム２０の変位許容空間２１内に進入してロックアーム２０の変位動作を規制な変位規制部４４となっている（図１０（Ａ））。変位規制部４４の前端部の内面には、ロックアーム２０がロック部３７に乗り上げて弾性変位するのを許容する変位許容凹部４５が前方へ開口して設けられている（図８（Ａ））。この変位許容凹部４５の奥端面には、弾性変位したロックアーム２０の前端面が突き当て可能とされている。従って、スライダ４１に対してロックアーム２０は、弾性変位したときには干渉可能とされるものの、自然状態では非干渉とされている。
【００２２】
スライダ４１の左右両側辺部４１ｂ，４１ｃには、雌ハウジング３０の前止まり突部４０が係止可能な前止まり溝４７が一対形成されている。この前止まり突部４０と前止まり溝４７との係止により、雌ハウジング３０に対してスライダ４１が前止まり状態に保持可能とされている（図６）。なおこの前止まり状態（図４，図５及び図７などに示す状態）では、雌ハウジング３０とスライダ４１との前後両端面がほぼ面一状に揃えられるとともに、圧縮コイルばね４６が僅かに圧縮されることでスライダ４１のがたつきが弾性的に規制可能とされる。また、図２の右側辺部４１ｃには、リテーナ３６を挿通可能なリテーナ挿通孔４８が前止まり状態においてリテーナ取付孔３５と整合可能に開設されている（図４）。また、両側辺部４１ｂ，４１ｃの外側面には、雄ハウジング１０の案内凹部２３に嵌合することでスライダ４１の移動動作を案内可能な案内リブ４９が一対形成されている。
【００２３】
スライダ４１の下辺部４１ｄにおける前端部には、ショート端子１７の各弾性接触片１７ｂを逃がすことが可能な切欠部５０が形成されている。この切欠部５０は、全係合凹部３４を横切るような幅領域に形成されるとともに、スライダ４１が雌ハウジング３０に対して前止まりされた状態では、係合凹部３４と後端位置が揃えられている。
【００２４】
さて、雌ハウジング３０の後端部における上下両面からは、両ハウジング１０，３０の嵌合時に押し込み操作が可能とされる一対の押し込み操作部５１が設けられている。両押し込み操作部５１は、雌ハウジング３０における上下対称位置に配設されるとともに、スライダ４１を組み付けた状態では、スライダ４１から所定寸法（後述する引っ張り操作部５３の突出寸法とほぼ同じ寸法）だけ上下外方へ突出するような高さ寸法を有している。両押し込み操作部５１は、前側ほど外方への突出量が大きくなるように四段階の階段状に形成されており、これにより作業者が押し込み操作をし易くなっている。また上側の押し込み操作部５１は、下側の押し込み操作部５１よりも幅狭に形成されている。
【００２５】
一方、スライダ４１のうち、両押し込み操作部５１に対応する上辺部４１ａと下辺部４１ｄには、両押し込み操作部５１を逃がすための逃がし溝５２が一対設けられている。両逃がし溝５２は、それぞれ対応する押し込み操作部５１とほぼ同幅だけ上辺部４１ａと下辺部４１ｄとを後方へ開放する形態で切り欠くことで形成されており、上辺部４１ａと下辺部４１ｄとの残された部分により両押し込み操作部５１が挟み込まれるようになっている。両逃がし溝５２は、雌ハウジング３０に対してスライダ４１が最大限に後退した状態（図１２に示すように、両ハウジング１０，３０が正規嵌合した状態で変位規制部４４がロックアーム２０の変位許容空間２１から退避した状態）で、両押し込み操作部５１の前面に両逃がし溝５２の奥端面が当接可能となる長さにわたって形成されている。なお両逃がし溝５２は、雌ハウジング３０に対してスライダ４１が前止まりされた状態でも両押し込み操作部５１を逃がすことができる（図５）。
【００２６】
さらに、スライダ４１のうち、両逃がし溝５２を形成した上下両辺部４１ａ，４１ｄと隣り合う両側辺部４１ｂ，４１ｃの後端部の外面からは、離脱時にスライダ４１を引っ張り操作が可能とされる一対の引っ張り操作部５３が左右外方へ突出して設けられている。両引っ張り操作部５３は、スライダ４１における左右対称位置に配設されている。両引っ張り操作部５３は、後側ほど外方への突出量が大きくなるように三段階の階段状に形成されており、これにより作業者が引っ張り操作をし易くなっている。両引っ張り操作部５３は、その前端位置が両押し込み操作部５１よりも所定距離だけ後側に設定されているので、両ハウジング１０，３０を嵌合した状態においてフード部１１の前端面から上記所定距離分間隔を空けて配されるようになっている（図１１）。両引っ張り操作部５３は、共にスライダ４１の高さ寸法よりも少し小さい程度の高さ寸法を有しており、また外方への最大突出寸法が案内リブ４９の突出寸法とほぼ同じとされている。
【００２７】
本実施形態は以上のような構造であり、続いてその作用について説明する。雌ハウジング３０に対し、両圧縮コイルばね４６とスライダ４１とを順次に前方から組み付けて前止まり状態とするとともにリテーナ３６及び雌端子金具３３を組み付ける一方、雄ハウジング１０に対し、ショート端子１７、雄端子金具１４及びリテーナ１９を組み付けて図７に示す状態とした後に、両ハウジング１０，３０の嵌合作業を行う。
【００２８】
図７に示すように、雄ハウジング１０のフード部１１の前方に雌ハウジング３０及びスライダ４１を対向させつつ、雌ハウジング３０における上下の両押し込み操作部５１を押し込み操作することで、フード部１１内にスライダ４１ごと雌ハウジング３０を進入させる。両ハウジング１０，３０が所定深さまで嵌合されると、図８に示すように、鉤部２２がロック部３７の前面３７ａにより案内されつつ乗り上げることで、ロックアーム２０が上方へ弾性変位されるとともに変位許容空間２１及び変位許容凹部４５内に退避される。
【００２９】
この状態から嵌合が進行するのに伴って、図９に示すように、弾性変位したロックアーム２０の前端面により変位許容凹部４５の奥端面が押圧されることで、スライダ４１が雌ハウジング３０に対して相対的に後退されるとともに圧縮コイルばね４６が圧縮される。このスライダ４１の後退過程では、両逃がし溝５２により両押し込み操作部５１が逃がされるので、両押し込み操作部５１がスライダ４１の移動動作を阻害することが防がれる。また雄端子金具１４のタブ１４ｂが雌端子金具３３の弾性接触片３３ｂに弾接され始める。
【００３０】
上記嵌合途中の段階において、仮に作業者が嵌合作業を中断した場合には、圧縮された圧縮コイルばね４６にそれまでに蓄積された付勢力が解放されるので、前方へ付勢されたスライダ４１がロックアーム２０を離脱方向へ押圧することで、両ハウジング１０，３０が強制的に離脱させられる。これにより、両ハウジング１０，３０が半嵌合状態に留め置かれることが防止される。
【００３１】
両ハウジング１０，３０が正規深さまで嵌合されると、図１０に示すように、鉤部２２がロック部３７を乗り越えるとともにロックアーム２０が弾性復元し、鉤部２２の後面２２ａとロック部３７の後面３７ｂとが係止される。これと同時に、ロックアーム２０の前端面が変位許容凹部４５の奥端面から外れて押圧状態が解除される（ロックアーム２０がスライダ４１と非干渉となる）ので、圧縮コイルばね４６に蓄積された付勢力が解放されるとともにスライダ４１が前進移動して嵌合前の前止まり位置に達する。このスライダ４１の前進に伴って、変位規制部４４がロックアーム２０の変位許容空間２１内に進入することで、ロックアーム２０の弾性変位動作が規制される。これにより、両ハウジング１０，３０がダブルロックされて離脱不能に強固に保持される。また両ハウジング１０，３０が正規嵌合に達する過程では、ショート端子１７の各弾性接触片１７ｂが各係合凹部３４によってタブ１４ｂから離間しつつ下方へ弾性変位させられるとともに係合凹部３４及び切欠部５０内に逃がされるので、両雄端子金具１４間の短絡状態が解除される。
【００３２】
一方、メンテナンスなどの事情により両ハウジング１０，３０を離脱させる場合がある。その場合には、正規嵌合状態において、図１１に示すように、フード部１１から後方へ突出したスライダ４１の後端部に設けられた左右の両引っ張り操作部５３を引っ張り操作する。このとき両引っ張り操作部５３は、フード部１１の前端面から後方へ所定距離離間して配置され、且つ階段状に形成されているので、引っ張り操作がし易くなっている。スライダ４１を圧縮コイルばね４６の付勢に抗しつつ後退移動させて、両逃がし溝５２の奥端面に両押し込み操作部５１の前面が当接する位置に達すると、図１２に示すように、変位規制部４４がロックアーム２０の変位許容空間２１から完全に退避するとともに変位許容凹部４５がロックアーム２０の前端部上に配されることで、ロックアーム２０の変位規制状態が解除される。この状態からさらにスライダ４１を後方へ引っ張ると、図１３に示すように、ロックアーム２０は、鉤部２２の後面２２ａとロック部３７の後面３７ｂとによって案内されて自動的に弾性変位させられ、ロック状態が解除される。そのままスライダ４１を後方へ引っ張ることで、雌ハウジング３０及びスライダ４１がフード部１１内から引き抜かれる。
【００３３】
上記離脱作業の途中の段階において、仮に作業者が離脱作業を中断した場合には、スライダ４１を後退させることで圧縮された圧縮コイルばね４６の付勢力が解放されることで、図１３の想像線に示すように、スライダ４１が前進移動するとともに、弾性変位した状態のロックアーム２０の前端面に変位許容凹部４５の奥端面が突き当たって、両ハウジング１０，３０が強制的に離脱される。これにより、離脱時にも両ハウジング１０，３０が半嵌合状態に留め置かれることが防がれる。
【００３４】
以上説明したように本実施形態によれば、嵌合過程でスライダ４１が後退して雌ハウジング３０よりも後方へ突出しても、スライダ４１の両逃がし溝５２により両押し込み操作部５１が逃がされるから、後退するスライダ４１が作業者の邪魔にならず、嵌合時の作業性を良好なものとすることができる。その上両押し込み操作部５１は、雌ハウジング３０における上下対称位置に配置されているから、例えば押し込み操作部が片側にしかない場合と比較して、押し込み操作を安定して行うことができ、嵌合時の作業性を一層良好なものとすることができる。
【００３５】
しかも、離脱時にスライダ４１を後退させるには、スライダ４１における左右対称位置に配置された一対の引っ張り操作部５３を引っ張り操作して行うことができるから、離脱時の作業性についても良好なものとすることができる。
【００３６】
また本実施形態では、スライダ４１が雌ハウジング３０に前止まりされた状態においても両逃がし溝５２によって両押し込み操作部５１を逃がすようにしているから、前止まり状態におけるスライダ４１と雌ハウジング３０との後端位置を揃えることができる。従って、例えばスライダに逃がし溝を設けなかった場合に、前止まり状態において、スライダの移動ストローク分だけスライダから雌ハウジングを後方へ突出させたものと比較すると、コネクタを長さ方向について小型化することができる。
【００３７】
また本実施形態では、ロックアーム２０が特許請求の範囲に記載されたロック手段と弾性変位部とを兼用しているので、コネクタの構造を簡素化することができる。
【００３８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、雌ハウジングとスライダとをほぼ同じ長さとした場合を示したが、両者の長さ寸法を異なる設定としてもよく、例えば前止まり状態において、スライダが押し込み操作部よりも前方に配されていて、スライダの後退時にのみ押し込み操作部が逃がし溝に逃がされる構成としてもよい。
【００３９】
（２）上記した実施形態では、ロック手段を構成するロックアームが特許請求の範囲に記載された弾性変位部を兼用する場合を示したが、ロックアームとは別に専用部位として弾性変位部を設けるようにしたものも本発明に含まれる。
（３）上記した実施形態では、ロック手段がセミロック構造とされるとともに、スライダの変位規制部によりロックアームの変位動作を規制するものを示したが、変位規制部を省略するとともにロック手段を通常のロック構造（例えば、鉤部とロック部との後面を上下に真っ直ぐな面とした構造）としたものも本発明に含まれる。
【００４０】
（４）上記した実施形態とは逆に、スライダ及び圧縮コイルばねを雄ハウジング側に組み付けて、ロックアームを雌ハウジング側に設けるようにしたものも本発明に含まれる。
（５）上記した実施形態では、いわゆるワイヤツーワイヤタイプのコネクタを例示したが、例えば雄ハウジングが機器に直結されたタイプのコネクタについても本発明は適用可能である。
【図面の簡単な説明】
【図１】本発明の一実施形態に係る雄ハウジングの正面図
【図２】スライダを組み付けた雌ハウジングの正面図
【図３】スライダを組み付けた雌ハウジングの背面図
【図４】スライダを組み付けた雌ハウジングの側面図
【図５】スライダを組み付けた雌ハウジングの平面図
【図６】図２のＸ−Ｘ線断面図
【図７】（Ａ）両ハウジングの嵌合前の状態を示す図１及び図２のＹ−Ｙ線断面図
（Ｂ）両ハウジングの嵌合前の状態を示す図１及び図２のＺ−Ｚ線断面図
【図８】（Ａ）両ハウジングの嵌合初期の状態を示す図１及び図２のＹ−Ｙ線断面図
（Ｂ）両ハウジングの嵌合初期の状態を示す図１及び図２のＺ−Ｚ線断面図
【図９】（Ａ）両ハウジングの嵌合途中の状態を示す図１及び図２のＹ−Ｙ線断面図
（Ｂ）両ハウジングの嵌合途中の状態を示す図１及び図２のＺ−Ｚ線断面図
【図１０】（Ａ）両ハウジングが正規嵌合した状態を示す図１及び図２のＹ−Ｙ線断面図（Ｂ）両ハウジングが正規嵌合した状態を示す図１及び図２のＺ−Ｚ線断面図
【図１１】両ハウジングが正規嵌合した状態を示す平面図
【図１２】（Ａ）スライダを後退させた状態を示す図１及び図２のＹ−Ｙ線断面図
（Ｂ）スライダを後退させた状態を示す図１及び図２のＺ−Ｚ線断面図
【図１３】（Ａ）両ハウジングを離脱する途中の状態を示す図１及び図２のＹ−Ｙ線断面図
（Ｂ）両ハウジングを離脱する途中の状態を示す図１及び図２のＺ−Ｚ線断面図
【符号の説明】
１０…雄ハウジング（他方のコネクタハウジング）
１１…フード部
２０…ロックアーム（ロック手段、弾性変位部）
３０…雌ハウジング（一方のコネクタハウジング）
３７…ロック部（ロック手段）
４１…スライダ
４６…圧縮コイルばね（付勢手段）
５１…押し込み操作部
５１ａ…上辺部（逃がし溝を形成した辺部）
５１ｂ，５１ｃ…側辺部（逃がし溝を形成した辺部と隣り合う辺部）
５１ｄ…下辺部（逃がし溝を形成した辺部）
５２…逃がし溝
５３…引っ張り操作部
【図１】
2004200073.tif 000003
【図２】
2004200073.tif 000004
【図３】
2004200073.tif 000005
【図４】
2004200073.tif 000006
【図５】
2004200073.tif 000007
【図６】
2004200073.tif 000008
【図７】
2004200073.tif 000009
【図８】
2004200073.tif 000010
【図９】
2004200073.tif 000011
【図１０】
2004200073.tif 000012
【図１１】
2004200073.tif 000013
【図１２】
2004200073.tif 000014
【図１３】
2004200073.tif 000015